(57)【要約】      （修正有） 【課題】羽毛布団等を減容した状態で収納することが出来、上面に収納袋等を積み重ねた状態であっても、常に安定した形状を維持することが出来る収納袋を提供する。【解決手段】矩形の底面１と、該底面１の周縁部に連接された正面２、背面３、左側面４及び右側面５と、背面に連接された上面６とを有する。上面６の周縁部と、該正面２、左側面４及び右側面５の上縁部とに互いに掛合するファスナー７が設けられている。底面１と背面３の連接する内側基縁部及び底面１と正面２の連接する内側基縁部にそれぞれ巻締シート８、９が固着されている。巻締めシート８、９の内一方の自由端側縁部近傍の表側に面ファスナーが設けられ、巻締めシート８、９の内他方の自由端側縁部近傍の裏側に面ファスナーが設けられている。左側面の上縁部に押え板１２が連接され、右側面の上縁部に押え板１３が連接されている。押え板１２、１３の表面にバックル付きのベルトが設けられている。【選択図】図１
0003207906.tif 000002
【実用新案登録請求の範囲】
【請求項１】
矩形の底面と、該底面の周縁部に連接された正面、背面、左側面及び右側面と、該背面の上縁部に連接された上面とを有し、該上面の周縁部と、該正面、左側面及び右側面の上縁部とに互いに掛合するファスナーが設けられた収納時箱状をした収納袋であって、該底面と背面の連接する内側基縁部及び底面と正面の連接する内側基縁部にそれぞれ基端部が固着された巻締シートと、該巻締めシートの内一方の自由端側縁部近傍の表側に設けられた面ファスナーと、該巻締めシートの内他方の自由端側縁部近傍の裏側に設けられた面ファスナーと、該左側面の上縁部に基端部が連接された押え板と、該右側面の上縁部に基端部が連接された押え板と、該押え板の表面に設けられたバックル付きのベルトとを具備することを特徴とする収納袋。
【請求項２】
前記底面、正面、背面、左側面、右側面及び上面が不織布で形成されていることを特徴とする請求項１記載の収納袋
【請求項３】
前記巻締シートに活性炭が混入されていることを特徴とする請求項１又は２記載の収納袋
【請求項４】
前記押え板の長さが、左側面及び右側面の高さと略同一であることを特徴とする請求項１、２、３記載の収納袋。
【考案の詳細な説明】
【技術分野】
【０００１】
本考案は、羽毛布団等を減容した状態で収納することが出来る収納袋に関し、さらに詳しくは、上面に収納袋等を積み重ねた状態であっても、常に安定した形状を維持することが出来る収納時箱状の収納袋に関するものである。
【背景技術】
【０００２】
布団等の嵩張るものをコンパクトに収納するには、圧縮パック等を用い、圧縮パックに布団を収納するとともに、圧縮パック内の空気を抜くことにより、布団を減容して収納するものであった。しかしながら、このような圧縮パックを用いる方法においては、通気性が悪く、また圧縮パックから取り出して使用する際、減容された状態から元の状態に復帰することが困難である場合があった。
【０００３】
そこで、このような問題を解決するために、不織布製の収納袋が提案されている（特許文献１参照）。この不織布製の収納袋は、羽毛布団等を収納する収納袋であって、底面及び平面とその間の４側面を有した不織布製の収納袋であって、平面３辺とそれに接する側面部にファスナーを備え、収納袋の内側の側面部の上辺２箇所に布団を押えるための芯板とその芯板を押えるためのベルトを取り付け、芯板の端部にテープファスナーを設けたものである。
【先行技術文献】
【特許文献】
【０００４】
【特許文献１】実用新案登録第３１８５０６９号公報
【考案の概要】
【考案が解決しようとする課題】
【０００５】
しかしながら、上述した収納袋においては、収納袋の形状を安定し、積み重ねて保管できるように、まず芯板をテープファスナーで固定し、次いでベルトを芯板の上面において掛け渡すことにより行なっている。すなわち、ベルトは、テープファスナーによる芯板の固定が外れた際を想定して、補助的に芯板を固定するものである。
【０００６】
ところで、ベルトによる芯板の固定は、羽毛布団の膨張力により芯板を上方へ押し上げようとするのを防止しているだけであり、芯板の下方への動きを防止することは出来ないものである。したがって、積み重ねた収納袋等の重みにより、テープファスナーが外れた場合、芯板の下方への動きを防止するものは無く、芯板が斜め下方へ折れ曲がりことになり、その結果、収納袋の形状が変形し、積み重ねた収納袋等がずり落ちることがあった。
【０００７】
本発明は、以上の問題点を解決するためになされたもので、収納袋を積み重ねて使用しても、収納袋の形状が常に安定し、積み重ねた収納袋がずり落ちたりすることの無い収納袋を提供することを目的とする。
【課題を解決するための手段】
【０００８】
請求項１に係る収納袋は、矩形の底面と、該底面の周縁部に連接された正面、背面、左側面及び右側面と、該背面の上縁部に連接された上面とを有し、該上面の周縁部と、該正面、左側面及び右側面の上縁部とに互いに掛合するファスナーが設けられた収納時箱状をした収納袋であって、該底面と背面の連接する内側基縁部及び底面と正面の連接する内側基縁部にそれぞれ基端部が固着された巻締シートと、該巻締めシートの内一方の自由端側縁部近傍の表側に設けられた面ファスナーと、該巻締めシートの内他方の自由端側縁部近傍の裏側に設けられた面ファスナーと、該左側面の上縁部に基端部が連接された押え板と、該右側面の上縁部に基端部が連接された押え板と、該押え板の表面に設けられたバックル付きのベルトとを具備することを特徴として構成されている。
【０００９】
請求項２に係る収納袋は、前記底面、正面、背面、左側面、右側面及び上面が不織布で形成されていることを特徴として構成されている。
【００１０】
請求項３に係る収納袋は、前記巻締シートに活性炭が混入されていることを特徴として構成されている。
【００１１】
請求項４に係る収納袋は、前記押え板の長さが、左側面及び右側面の高さと略同一であることを特徴として構成されている。
【考案の効果】
【００１２】
請求項１に係る収納袋においては、底面と背面の連接する内側基縁部及び底面と正面の連接する内側基縁部にそれぞれ基端部が固着された巻締シートが設けられているので、収納した羽毛布団等を両側から巻き締めることにより、羽毛布団を減容することができ、かつ、一方の巻締シートの自由端側縁部近傍の表側には面ファスナーが設けられるとともに、他方の巻締シートの自由端側縁部近傍の裏側には面ファスナーが設けられているので、面ファスナーを掛合することにより、巻締シートで羽毛布団等を巻き締めた状態で固定することができる。
【００１３】
左側面の上縁部に押え板の基端部を連接させるとともに、右側面の上縁部に押え板の基端部を連接させているので、巻締シートによる巻締が不十分で収納袋より突出していた場合であっても、押え板で押え付けることにより、さらに減容させて収納袋に完全に収納することができ、かつ、押え板の表面にはバックル付きのベルトが設けられているので、バックルを嵌合固定することにより、押え板を減容した状態で固定することができる。すなわち、対向する押え板をそれぞれのバックルで連結し、この２つのベルトの端部を引っ張ることにより、押え板を、基端部を中心に略水平状態になるまで下方へ回転させて羽毛布団を減容する。
【００１４】
また、押え板は略水平に対向した状態で固定され、上方へも下方へも動かない状態に維持されている。したがって、収納袋の上面が平面性を常に維持し、安定した状態となっているので、他の収納袋等を積み重ねても安定し、ずり落ちるようなことが無い。
【００１５】
上面の周縁部と、該正面、背面、左側面及び右側面の上縁部とに互いに掛合するファスナーが設けられているので、上面を正面、背面、左側面及び右側面の上縁部閉止することができる。
【００１６】
請求項２に係る収納袋においては、底面、正面、背面、左側面、右側面及び上面が不織布で形成されているので、通気性が良好で、収納袋内部の湿度を抑えることができる。
【００１７】
請求項３に係る収納袋においては、巻締シートに活性炭が混入されているので、異臭等を吸着することができ、収納した羽毛布団等に異臭が付着するのを防止することができる。
【００１８】
請求項４に係る収納袋においては、押え板の長さが、左側面及び右側面の高さと略同一であるので、押え板を内側に折込み、左側面及び右側面と垂直に重ね合わせると、押え板により収納袋を箱状に自立させることができるので、箱型の収納袋として使用することができる。
【図面の簡単な説明】
【００１９】
【図１】本考案による収納袋の羽毛布団等を収納していない状態の斜視図
【図２】本考案による収納袋の羽毛布団を巻締めシートで巻締めた状態の斜視図
【図３】本考案による収納袋の押え板を連結固定した状態の斜視図
【図４】本考案による収納袋の羽毛布団の収納が完成した状態の斜視図
【考案を実施するための形態】
【００２０】
本考案による収納袋の一実施形態を図面を参照して説明する。図１は、羽毛布団等を収納していない状態の収納袋の斜視図、図２は、羽毛布団を巻締めシートで巻締めた状態の収納袋の斜視図、図３は、押え板を連結固定した状態の収納袋の斜視図、図４は、羽毛布団の収納が完成した状態の収納袋の斜視図である。
【００２１】
これらの図において、１は長方形状の底面で、この底面１の周縁部には、正面２、背面３、左側面４及び右側面５が一体に連接されており、また、これらの正面２、背面３、左側面４及び右側面５も一体に連接されている。前記背面３の上縁部には上面６が一体に連接されており、全体として上端面が上面６により開口自在な箱状（収納時）となっている。また、これら底面１、正面２、背面３、左側面４、右側面５及び上面６は、不織布を縫い合わせて形成されており、内部の通気性を確保できるようになっている。また、正面２には内部を視認することが出来る透明な窓２ａが設けられている。
【００２２】
前記上面６の周縁部にはファスナー７の一方が設けられるとともに、前記正面２、左側面４及び右側面５の上縁部にもファスナー７の一方が設けられ、このファスナー７の掛合いにより、上面６を正面２、背面３、左側面４及び右側面５からなる開口部を閉止できるようになっている。
【００２３】
前記底面１と背面３の連接する内側基縁部には巻締めシート８の基端部が固着されるとともに、前記底面１と正面２の連接する内側基縁部にも巻締めシート９の基端部が固着されており、巻締めシート８の自由端側縁部の表側の両側端部には面ファスナー１０が設けられるとともに、巻締めシート９の自由端側縁部の裏側の両端部にも面ファスナー１１が設けられており、これら面ファスナー１０と面ファスナー１１とを掛合いすることにより、巻締めシート８と巻締めシート９とを固着するようになっている。また、巻締めシート８、９には活性炭が混入され、収納袋の内部の異臭を吸着できるようになっている。
【００２４】
前記左側面４の上縁部には２枚の押え板１２が連接されるとともに、右側面５の上縁部にも２枚の押え板１３が連接されており、これら押え板１２と押え板１３とは、水平方向に配置した際、僅かの間隙を持って先端が対抗する長さに形成されている。また、押え板１２の表面の中央部には、締付けようのベルト１４が設けられるとともに、押え板１３の表面の中間部にも、締付けようのベルト１５が設けられている。このベルト１５の先端部と、ベルト１４の中間部には互いに係合することにより連結するバックル１６が設けられており、ベルト１４のバックル１６はベルト１４を摺動自在に設けられ、ベルト１４の先端を引っ張ることにより、押え板１２、１３を水平方向に対向して固定することが出来るようになっている。
【００２５】
以上のような収納袋に羽毛布団を収納するには、図２に示すように、羽毛布団ａを収納した後、両側から巻締めシート８、９で締め付けて減容し、その状態で面ファスナー１０、１１を掛け合わせて固定する。次に、図３に示すように、押え板１２、１３を内側に倒して巻締めシート８、９上から押さえ付け、両ベルト１４、１５のバックル１６を連結し、この状態でベルト１４の先端を反対側に引張り、押え板１２、１３でさらに減容させつつ水平状態に固定する。したがって、羽毛布団ａは、巻締めシート８、９で減容されるととともに、押え板１２、１３でも減容された状態となっており、また、押え板１２と押え板１３とは、略水平に対抗した状態で固定され、収納袋全体として略直方体の状態に維持されている。そして、図４に示すように、上面６を被せてファスナー７を締めることにより収納が完了する。
【００２６】
また、押え板１４、１５の長さを左側面４、右側面５の高さと略同じにすることにより、押え板１４、１５を内側に折込んで左側面４、右側面５と接した垂直状態とすることが出来るので、箱状の収納箱として使用することが出来る。
【００２７】
前記実施形態においては、収納物を羽毛布団としたが、これに限られるものでなく、布団、座布団、衣類等も収納できるものである。
【符号の説明】
【００２８】
１：底面
２：正面
２ａ：窓
３：背面
４：左側面
５：右側面
６：上面
７：ファスナー
８、９：巻締めシート
１０、１１：面ファスナー
１２、１３：押え板
１４、１５：ベルト
１６：バックル
ａ：羽毛布団
【図１】
0003207906.tif 000003
【図２】
0003207906.tif 000004
【図３】
0003207906.tif 000005
【図４】
0003207906.tif 000006